(57)【要約】      （修正有）【課題】歯科もしくは歯科外科治療または診断システムのための少なくとも１つのデータセットのウェブベースの転送方法およびそのような治療または診断システムを提供する。【解決手段】歯科もしくは歯科外科治療または診断システム１のための少なくとも１つのデータセットのウェブベースの転送方法は、歯科もしくは歯科外科治療または診断デバイス２と、歯科もしくは歯科外科治療または診断デバイス２の外部にある外部記憶素子５Ａとの間で少なくとも１つのデータセットを転送する方法である。少なくとも１つのデータセットが、インターネットと外部記憶素子５Ａを含むクラウドコンピューティングネットワーク５とを介してウェブベースの形で転送される。【選択図】図1
2020077406.tif 000002
【特許請求の範囲】
【請求項１】
歯科もしくは歯科外科治療または診断デバイス（２）と、前記歯科もしくは歯科外科治療または診断デバイス（２）の外部にある外部記憶素子（５Ａ）との間で少なくとも１つのデータセットを転送する方法であって、
前記少なくとも１つのデータセットが、インターネットと前記外部記憶素子（５Ａ）を含むクラウドコンピューティングネットワーク（５）とを介してウェブベースの形で転送されることを特徴とする、方法。
【請求項２】
請求項１に記載の少なくとも１つのデータセットを転送する方法であって、
前記歯科もしくは歯科外科治療または診断デバイス（２）と前記外部記憶素子（５Ａ）との間での前記少なくとも１つのデータセットの双方向転送を特徴とする、方法。
【請求項３】
請求項１または２に記載の少なくとも１つのデータセットを転送する方法であって、
前記少なくとも１つのデータセットが、前記クラウドコンピューティングネットワーク（５）に通信可能に接続された遠隔操作のヒューマンマシンインターフェイス（４）を介して表示されるおよび／または取得されるおよび／または処理されるならびに／あるいは前記外部記憶（５Ａ）に入力されるおよび格納されることを特徴とする、方法。
【請求項４】
請求項３に記載の少なくとも１つのデータセットを転送する方法であって、
前記クラウドコンピューティングネットワーク（５）に格納されているウェブアプリケーションが、前記外部記憶素子（５Ａ）に格納されている前記少なくとも１つのデータセットを取得するおよび／または表示するおよび／または処理するために、ならびに／あるいは前記外部記憶素子（５Ａ）にデータセットを入力するおよび格納するために、前記遠隔操作のヒューマンマシンインターフェイス（４）から呼び出されることを特徴とする、方法。
【請求項５】
請求項１〜４のいずれか一項に記載の少なくとも１つのデータセットを転送する方法であって、
前記少なくとも１つのデータセットが、前記クラウドコンピューティングネットワーク（５）のマイクロコントローラによって処理されることを特徴とする、方法。
【請求項６】
請求項１〜５のいずれか一項に記載の少なくとも１つのデータセットを転送する方法であって、
前記外部記憶素子（５Ａ）が、前記歯科もしくは歯科外科治療または診断デバイス（２）による治療または診断を計画するためのソフトウェアを格納し、インターネットとクラウドコンピューティングネットワーク（５）とを介してウェブベースの形で転送される前記少なくとも１つのデータセットが、前記ソフトウェアを介して作成された治療計画を含むことを特徴とする、方法。
【請求項７】
請求項１〜６のいずれか一項に記載の少なくとも１つのデータセットを転送する方法であって、
インターネットとクラウドコンピューティングネットワーク（５）とを介してウェブベースの形で転送される前記少なくとも１つのデータセットが、前記歯科もしくは歯科外科治療もしくは診断デバイス（２）のオペレーティングデータもしくはオペレーティングパラメータの少なくとも１つの値および／または治療データを含むことを特徴とする、方法。
【請求項８】
請求項７に記載の少なくとも１つのデータセットを転送する方法であって、
前記外部記憶素子（５Ａ）が、前記転送されたオペレーティングデータおよび／または治療データに割り当てられる患者データを格納することを特徴とする、方法。
【請求項９】
請求項７または８に記載の少なくとも１つのデータセットを転送する方法であって、
前記オペレーティングデータが、前記歯科もしくは歯科外科治療または診断デバイス（２）で歯科インプラントを設定するための少なくとも１つのパラメータを含むことを特徴とする、方法。
【請求項１０】
請求項１〜９のいずれか一項に記載の少なくとも１つのデータセットを転送する方法であって、
前記歯科もしくは歯科外科治療もしくは診断デバイス（２）が、インターネットと前記クラウドコンピューティングネットワーク（５）とを介してウェブベースの形で転送される前記少なくとも１つのデータセットを格納するための内部記憶素子を備え、および／またはインターネットと前記クラウドコンピューティングネットワーク（５）とを介して前記外部記憶素子（５Ａ）にウェブベースの形で転送されるデータセットをバッファリングすることを特徴とする、方法。
【請求項１１】
請求項１〜１０のいずれか一項に記載の少なくとも１つのデータセットを転送する方法であって、
前記少なくとも１つのデータセットが、インターネットとクラウドコンピューティングネットワーク（５）とを介したウェブベースの転送前に暗号化され、ウェブベースの転送後に復号化されることを特徴とする、方法。
【請求項１２】
コンピュータによって実行されると、請求項１〜１１のいずれか一項に記載の方法を前記コンピュータに実行させる命令を含むコンピュータプログラム製品またはコンピュータ可読記憶媒体（５Ａ）。
【請求項１３】
歯科もしくは歯科外科治療または診断システム（１）であって、
歯科もしくは歯科外科治療または診断デバイス（２）と、前記歯科もしくは歯科外科治療または診断デバイス（２）の外部にある外部記憶素子（５Ａ）を有するクラウドコンピューティングネットワーク（５）と、請求項１〜１１のいずれか一項に記載の方法を実行する手段を有するデータ処理デバイスとを特徴とする、歯科もしくは歯科外科治療または診断システム（１）。
【請求項１４】
請求項１３に記載の歯科もしくは歯科外科治療または診断システム（１）であって、
前記クラウドコンピューティングネットワーク（５）に通信可能に接続され、インターネットと前記クラウドコンピューティングネットワーク（５）とを介してウェブベースの形で転送された少なくとも１つのデータセットを表示するおよび／または取得するおよび／または処理するように構成されているならびに／あるいは前記外部記憶素子（５Ａ）に格納されているデータセットを表示するおよび／または取得するおよび／または処理するように構成されているならびに／あるいはデータセットが前記外部記憶素子（５Ａ）に入力され得るおよび／または格納され得るように構成されている遠隔操作のヒューマンマシンインターフェイス（４）を特徴とし、特に前記クラウドコンピューティングネットワーク（５）が前記データ処理デバイスを含む、歯科もしくは歯科外科治療または診断システム（１）。
【請求項１５】
歯科もしくは歯科外科治療または診断デバイス（２）と、遠隔操作のヒューマンマシンインターフェイス（４）に通信可能に接続するための送受信デバイス（３）とを含む歯科もしくは歯科外科治療または診断システム（１）であって、
前記送受信デバイス（３）が、前記遠隔操作のヒューマンマシンインターフェイス（４）へのインターネットとクラウドコンピューティングネットワーク（５）とを介したウェブベースの接続を提供するように構成されていることを特徴とする、歯科もしくは歯科外科治療または診断システム（１）。
【請求項１６】
前記送受信デバイス（３）がゲートウェイを備えることを特徴とする、請求項１５に記載の歯科もしくは歯科外科治療または診断システム（１）。
【請求項１７】
前記ゲートウェイ（３）が、前記ゲートウェイ（３）を介して転送されるデータセットに日付および／または時刻表示を提供するように構成されていることを特徴とする、請求項１６に記載の歯科もしくは歯科外科治療または診断システム（１）。
【請求項１８】
日付および／または時刻表示を提供される前記データセットが、骨に固定されたインプラントの安定性を示す少なくとも１つの測定値を含むことを特徴とする、請求項１７に記載の歯科もしくは歯科外科治療または診断システム（１）。
【請求項１９】
前記クラウドコンピューティングネットワーク（５）に、少なくとも１つのウェブアプリケーションが、前記遠隔操作のヒューマンマシンインターフェイス（４）から呼び出されるために格納されていることを特徴とする、請求項１５〜１８のいずれか一項に記載の歯科もしくは歯科外科治療または診断システム（１）。
【発明の詳細な説明】
【技術分野】
【０００１】
本発明は、歯科もしくは歯科外科治療または診断システムのための少なくとも１つのデータセットのウェブベースの転送方法およびそのような治療または診断システムに関する。
【０００２】
歯科治療デバイスは、特許出願ＵＳ２０１３／０１１６８０５Ａ１から知られており、これは、携帯型ヒューマンマシンインターフェース、例えばスマートフォンを介して操作することができる。この目的のために、操作に必要なプログラムおよびデータはスマートフォンにローカルに格納される。歯科治療デバイスとスマートフォンとの間のデータ交換は、ローカル通信リンクを介して行われる。
【０００３】
この治療システムの欠点は、歯科治療デバイスの操作が、必要なプログラムとデータとが格納されているヒューマンマシンインターフェースに制限されることである。このヒューマンマシンインターフェイスが利用できない場合、歯科治療デバイスを操作することができないか、または前記デバイスからデータを取得することができない。
【０００４】
したがって、本発明の目的は、歯科もしくは歯科外科治療または診断システム用の少なくとも１つのデータセットを転送する方法と、その歯科もしくは歯科外科治療または診断システムにアクセスを制限しないことを可能にする対応する歯科もしくは歯科外科治療または診断システムとを作り出すことである。特に、歯科もしくは歯科外科治療または診断システムとの通信は、特定のヒューマンマシンインターフェイスに結び付けられてはならない。
【０００５】
本発明によれば、この目的は、請求項１の特徴を有する少なくとも１つのデータセットを転送する方法により、ならびに請求項１３および１６の特徴を有する歯科もしくは歯科外科治療または診断システムにより達成される。特に有利な実施形態は、従属請求項に定義されている。
【０００６】
歯科もしくは歯科外科治療または診断デバイスと、歯科もしくは歯科外科治療または診断デバイスの外部にある外部記憶素子との間で少なくとも１つのデータセットを転送するための、特にコンピュータ実装の方法は、少なくとも１つのデータセットが、インターネットと外部記憶素子を有するクラウドコンピューティングネットワークとを介してウェブベースの形で転送される工程を含む。
【０００７】
少なくとも１つのデータセットのウェブベースの転送とクラウドコンピューティングネットワークの使用により、時間および場所に関係なく、ならびに特定の遠隔操作のヒューマンマシンインターフェースに制限されることなく、少なくとも１つのデータセットにアクセスすることが有利に可能である。複数の人が少なくとも１つのデータセットにアクセスすることができることも好ましい。
【０００８】
外部記憶素子は、クラウドコンピューティングネットワークの一部として設計されているため、歯科もしくは歯科外科治療または診断デバイスおよび／または遠隔操作のヒューマンマシンインターフェイスから離れて配置されている。
【０００９】
外部記憶素子は、特に、ウェブベースの形で転送された少なくとも１つのデータセットを格納するように構成されており、および／または歯科もしくは歯科外科治療または診断デバイスへウェブベースで転送するための少なくとも１つの格納されたデータセットを提供する。少なくとも１つのデータセットを転送する方法は、データセットが歯科もしくは歯科外科治療または診断デバイスと外部記憶素子との間で両方向にインターネットを介して転送される双方向方法であることが特に好ましい。前記手段は、両方向の完全なデータフローを有利に可能にする。
【００１０】
インターネットとクラウドコンピューティングネットワークとを介して転送され、および／または外部記憶素子によって格納されているまたは格納されることになる少なくとも１つのデータセットは、例えば、歯科もしくは歯科外科治療もしくは診断デバイスのオペレーション中またはオペレーションに関連して、または歯科もしくは歯科外科治療もしくは診断デバイスによる治療中または治療に関連して生成されるオペレーティングもしくは治療データ、あるいは少なくとも１つのオペレーティングパラメータの少なくとも１つの値を含む。少なくとも１つのデータセットは、代替的または追加的に、例えば、歯科もしくは歯科外科治療もしくは診断デバイスのオペレーションに必要な、または歯科もしくは歯科外科治療もしくは診断デバイスでの治療に必要な、および／またはオペレーションもしくは治療の前に提供される操作もしくは治療データ、あるいは少なくとも１つの操作パラメータの少なくとも１つの値を含む。
【００１１】
外部記憶素子は、好ましくは、少なくとも１つのデータセットまたは少なくとも１つのオペレーティングパラメータの少なくとも１つの値を格納し、特に、歯科もしくは歯科外科治療もしくは診断デバイスへウェブベースで転送するために前記値またはデータセットを提供するようにさらに構成され、ここで前記データセットまたは値は、以下で詳細に説明する遠隔操作のヒューマンマシンインターフェースを介して入力され得るまたは入力される。遠隔操作のヒューマンマシンインターフェースは、インターネットを介してクラウドコンピューティングネットワークに接続されているまたは接続され得ることが好ましい。これにより、ユーザーがデータセットまたは値を個別に入力または変更することが有利に可能になる。
【００１２】
インターネットとクラウドコンピューティングネットワークとを介して転送される、および／または記憶素子によって格納されるもしくは格納可能な、および／またはウェブベースの転送用に提供される上記の少なくとも１つのデータセットは、技術データまたはパラメータの技術値を含み、例えば、好ましくは、トルク値、トルク制限値、速度値、速度制限値、歯科もしくは歯科外科治療または診断デバイスの機械的ギアの伝達比、オペレーティングまたは冷却媒体の体積流量、歯科もしくは歯科外科治療または診断デバイスのコンポーネントの、例えばモーターもしくはポンプの性能、歯科もしくは歯科外科治療または診断デバイスのコンポーネントの電流または電圧値、および同様データを含む。
【００１３】
少なくとも１つのデータセットは、代替的または追加的に、例えば、非技術的データまたは値、好ましくは歯科もしくは歯科外科治療または診断デバイスのユーザーに関する情報、特に識別コード；治療患者に関する情報、特に識別コード；歯科もしくは歯科外科治療または診断デバイスの選択もしくは使用されたオペレーティングプログラムに関する情報；歯科もしくは歯科外科治療または診断デバイスに関する情報、特にシリアル番号；（埋め込まれたまたは埋め込まれる予定の）インプラントに関する情報、特に製造者、シリアル番号、および／またはその有効期限；エラーメッセージ；または同様のデータもしくは値を含む。
【００１４】
好ましくは、少なくとも１つのデータセットは、いわゆるライブラリ、例えばインプラントライブラリまたはツールライブラリ、好ましくは歯内治療用ファイルのライブラリの少なくとも一部を含む。そのようなライブラリは、特に、さまざまな要素のさまざまなデータ、値、および／または仕様を含む。例えば、インプラントライブラリは、特に異なるメーカーの複数のインプラントのデータまたは値を含む。ライブラリの各インプラントには、１つもしくは複数の特定のデータまたは値、例えばインプラントの指定（メーカー名、識別コードなど）、インプラントが対象とする歯の位置（歯のスキームによる）、インプラントが設定されるトルク値、インプラントが設定され得る最大トルク値、インプラントが設定される歯科コントラアングルハンドピースのギアの伝達比、および／または同様のデータおよび値が割り当てられていることが好ましい。ユーザーは必要な要素（インプラント、ツール）と関連データおよび値とに簡単にアクセスできるため、そのようなライブラリを外部記憶素子に提供すると、ユーザーの歯科または歯科外科治療の計画および／または実行が大幅に簡素化される。ライブラリをクラウドコンピューティングネットワークの外部記憶素子に格納することには、ユーザーが管理、すなわち追加または更新しなくても、ユーザーは現在のライブラリを常に利用することができるという利点もある。好ましくは、ライブラリまたはその一部は、例えばインプラントもしくはツールの製造業者、または治療もしくは診断デバイスの製造業者などの第三者によって管理、補完、および／または更新される。
【００１５】
好ましくは、インターネットとクラウドコンピューティングネットワークとを介して転送され、および／または外部記憶素子によって格納可能な少なくとも１つのデータセットは、例えば歯科インプラントの埋め込みのためのまたは歯内治療のための１つまたは複数の歯科または歯科外科治療計画を含み、そのような治療計画は、好ましくは、上記の複数のデータ、データセット、および／またはパラメータ値を含む。これにより、時間および場所に関係なく、ならびに特定の遠隔操作のヒューマンマシンインターフェースに制限されることなく、ユーザーが治療計画を作成することが有利に可能となる。
【００１６】
好ましくは、インターネットとクラウドコンピューティングネットワークとを介して転送され、および／または外部記憶素子によって格納可能な少なくとも１つのデータセットは、治療または患者ドキュメンテーションまたは患者管理用のデータ、特に名前、性別、年齢、住所、連絡先データ、既往歴に関する医療情報、実施した治療、診断データ、または同様のデータなどの個人データを含む。これにより、時間および場所に関係なく、ならびに特定の遠隔操作のヒューマンマシンインターフェースに制限されることなく、ユーザーが治療または患者ドキュメンテーションまたは患者管理にアクセスすることが有利に可能となる。
【００１７】
歯科もしくは歯科外科治療または診断デバイスは、以下の要素の少なくとも１つを備えることが好ましい：ストレートのもしくはカーブした、特にコードレスのハンドピース、コントラアングルハンドピース、またはハンドル要素；歯科または歯科外科用備品および／または操作デバイス、特に歯科または歯科外科用ハンドピース、コントラアングルハンドピース、および／または器具を操作するための卓上デバイス；セット（歯科）インプラントの安定性を判定するためのデバイス；供給および／または操作デバイスと患者用椅子とを備えた歯科または歯科外科治療ユニット。
【００１８】
歯科もしくは歯科外科治療または診断デバイスは、以下の要素の少なくとも１つを備える：
‐    少なくとも１つのデータセット、特に上記の１つまたは複数のデータセット、特に好ましくはオペレーティングもしくは治療データおよび／または少なくとも１つの治療計画を格納するための（内部）記憶素子；（内部）記憶素子は、特に、インターネットとクラウドコンピューティングネットワークとを介してウェブベースの形で外部記憶素子から転送される少なくとも１つのデータセットの格納用に、ならびに／あるいは少なくとも１つのデータセットおよび／またはパラメータ値、好ましくはインターネットとクラウドコンピューティングネットワークとを介してウェブベースの形で外部記憶素子に転送される（転送予定の）治療もしくは診断デバイスのオペレーティングまたは治療値（特に上記）の中間記憶用に構成され、これにより、クラウドコンピューティングネットワークへのウェブベースのデータ転送が中断された場合のデータバッファとして有利に機能する；
‐    治療もしくは診断デバイスおよび／またはそれらに接続された器具の操作または調整用コントローラ；特に、上記のおよび場合によっては内部記憶に格納されている少なくとも１つのデータセットに基づいて、好ましくは上述の前記オペレーティングもしくは治療データの少なくとも一部に基づいて、少なくともライブラリの一部に基づいて、ならびに／あるいはインターネットとクラウドコンピューティングネットワークとを介して外部記憶素子からウェブベースの形で転送される治療計画を操作または調整するための；
‐    少なくとも１つのデータセットまたはパラメータ値、特にインターネットとクラウドコンピューティングネットワークとを介してウェブベースの形で転送された前述の少なくとも１つのデータセット、例えばオペレーティングもしくは治療データおよび／または治療計画の少なくとも一部、ならびに警告、エラーメッセージ、もしくは同様のデータを表示するためのディスプレイデバイス；
‐    特に歯科もしくは歯科外科治療または診断デバイスのオペレーティングパラメータの少なくとも１つの値を設定するための、および／またはオペレーティングプログラムもしくは治療計画を選択するための設定デバイス、例えばボタン、スライド、および／またはタッチスクリーン；設定デバイスは、好ましくは、インターネットとクラウドコンピューティングネットワークとによってウェブベースの形で転送される、好ましくはオペレーティングもしくは治療データの、少なくとも１つのパラメータの、および／または少なくとも１つの治療計画の上述の少なくとも１つのデータセットの少なくとも１つの値を設定するもしくは変更するように構成されており、前記パラメータおよび／または少なくとも１つの治療計画の変更は、ウェブベースの転送後でも有利に可能である；
‐    測定値を検出するための少なくとも１つのセンサー、例えば電流センサー、温度センサー、圧力センサー、導電率センサー、または湿度センサー；測定値は、例えば、上記のデータセットの少なくとも一部を形成し、特にインターネットとクラウドコンピューティングネットワークとを介してウェブベースの形で転送され、前記データセットは、クラウドコンピューティングネットワークの外部記憶素子に格納されていることが好ましい；
‐    オペレーティング媒体または駆動媒体、特に水または空気を導くための少なくとも１つの媒体ライン；
‐    電気エネルギーを電気消費物、例えば電気モーター、放射線源、および／またはセンサーに供給するための、ならびに／あるいは歯科もしくは歯科外科治療または診断デバイスのセンサーから測定値を送信するための少なくとも１つの送電線；
‐    好ましくは治療ツールを取り外し可能に保持するためのツール保持デバイス；
‐    電磁放射線、特に可視光および／または診断放射線を放出するための放射線源、例えば光半導体素子。
【００１９】
外部記憶素子に加えて、クラウドコンピューティングネットワークは、少なくともさらなるハードウェアおよび／またはソフトウェア要素、例えば以下の要素の１つを含むことが好ましい：プロセッサ；特に１つまたは複数の電子回路を備えたマイクロコントローラ；特にマイクロコントローラの少なくとも１つの電子回路によって実行可能な、インターネットを介して転送された少なくとも１つのデータセットまたはパラメータ値を格納、受信、処理、送信、暗号化、復号化、および／または提供するための１つまたは複数のソフトウェアプログラムまたはウェブアプリケーション。ウェブアプリケーションは、特に、遠隔操作のヒューマンマシンインターフェイスを介して呼び出され得るおよび／または操作され得る。マイクロコントローラと外部記憶素子は、特に相互に電気的に接続されているため、マイクロコントローラは、外部記憶素子に格納されているデータセットおよび／またはソフトウェアにアクセスすることができる。
【００２０】
好ましくは、（外部記憶に転送および／または格納される）少なくとも１つのデータセットは、クラウドコンピューティングネットワークに通信可能に接続されたまたは接続可能な遠隔操作のヒューマンマシンインターフェースを介して表示および／またはアクセスおよび／または処理される。代替的または追加的に、（さらなる）データセットが遠隔操作のヒューマンマシンインターフェースを介して入力され、好ましくは外部記憶に格納されることも可能である。好ましくは、遠隔操作のヒューマンマシンインターフェースは、（クラウドコンピューティングネットワークとインターネットとを介して）治療または診断デバイスにも通信可能に接続される。遠隔操作のヒューマンマシンインターフェイスとクラウドコンピューティングネットワークとの通信接続は、有線および／または無線で確立され得るまたは実現され得る。
【００２１】
好ましくは、遠隔操作のヒューマンマシンインターフェースは、例えば、モバイル電子デバイス、特に、携帯電話、ポータブルコンピュータ、ノート型パソコン、タブレットコンピュータ、もしくは同様のデバイス、または、固定電子デバイス、例えばパソコンを含む。
【００２２】
好ましくは、クラウドコンピューティングネットワークに格納されたウェブアプリケーションは、外部記憶素子に格納された少なくとも１つのデータセットを取得するおよび／または表示するおよび／または編集するために、ならびに／あるいは外部記憶に少なくとも１つのデータセットを入力および格納するために、遠隔操作のヒューマンマシンインターフェースを介してアクセスされる。好ましくは、遠隔操作のヒューマンマシンインターフェースは、ウェブアプリケーションにアクセスするためのウェブブラウザを含む。
【００２３】
好ましくは、（転送および／または格納される）少なくとも１つのデータセットは、クラウドコンピューティングネットワークのマイクロコントローラによって処理される。好ましくは、クラウドコンピューティングネットワークは、少なくとも１つのデータセットを編集または処理するためのソフトウェアおよび／またはハードウェア、例えば、少なくとも１つのデータセットを（グラフィック）表示するための、少なくとも１つのデータセットを既に格納されているデータにリンクさせるための、および／または異なるデータセットを比較するためのソフトウェアを含む。これは、治療または診断デバイスの機能を有利に増加させる。
【００２４】
好ましくは、外部記憶素子は、歯科もしくは歯科外科治療もしくは診断デバイスによる治療もしくは診断を計画するためのソフトウェアを含むまたは格納し、ここでインターネットとクラウドコンピューティングネットワークとを介してウェブベースの形で転送される少なくとも１つのデータセットは、ソフトウェアによって作成された治療計画を含む。治療計画は、好ましくは、１つもしくは複数の治療または診断工程を含む。治療計画は、好ましくは、上記で言及した操作もしくは治療データの少なくとも１つ、または少なくとも１つの操作パラメータの少なくとも１つの値を含む。好ましくは、オペレーティングもしくは治療データまたは少なくとも１つの値は、ユーザーによって入力されるか、プリセット値から選択される。好ましくは、ユーザーは、１つまたは複数の治療計画を作成し、前記治療計画の少なくとも１つを１つもしくは複数の治療または診断デバイスに送信する。
【００２５】
好ましくは、ユーザーは、彼／彼女が同じ歯科もしくは歯科外科治療または診断デバイスで実行することを望む、歯科外科インプラントなどの複数の治療または診断用の複数の治療計画を作成する。好ましくは、ユーザーは、複数の治療計画を、特に（単一の）データパッケージまたはデータセットの形で、１つの治療または診断デバイスに送信し、前記デバイスは複数の治療計画を内部記憶に格納する。好ましくは、ユーザーは、転送された治療計画に基づいて複数の治療または診断を次々に実行する。好ましくは、任意の治療または診断を実行する前に、ユーザーは、特に上記の歯科もしくは歯科外科治療または診断デバイスの設定デバイスを使用して、転送された治療計画の少なくとも１つにおける少なくとも１つの値またはデータを修正する。複数の治療または診断用の複数の治療計画を作成し、好ましくは単一の転送オペレーションで複数の治療計画を（単一の）治療または診断デバイスに転送すると、特に歯科もしくは歯科外科治療または診断デバイスの設定デバイスを介すると、ユーザーが各治療計画を個別に作成する必要がなくなるため、ユーザーにとっての使いやすさが有利に向上する。
【００２６】
好ましくは、少なくとも１つのデータセットは、インターネットとクラウドコンピューティングネットワークとを介したウェブベースの転送の前に暗号化され、ウェブベースの転送後に復号化される。歯科もしくは歯科外科治療または診断デバイスおよびクラウドコンピューティングネットワークはそれぞれ、この目的のための暗号化および／または復号化用ソフトウェアをさらに備えている。これは、少なくとも１つのデータセット、特にそこに含まれる患者データの安全な転送を有利に保証する。
【００２７】
少なくとも１つのデータセットが歯科外科治療デバイスと歯科外科治療デバイスの外部にある外部記憶素子との間で、インターネットと外部記憶素子を含むクラウドコンピューティングネットワークとを介してウェブベースの形で転送される歯科外科インプラントの治療計画を作成するための好ましい（コンピュータ実装）方法は、次の工程を含む：（Ａ）クラウドコンピューティングネットワークに通信可能に接続されている、または通信可能に接続されることになる遠隔操作のヒューマンマシンインターフェイスを提供する工程と；（Ｂ）クラウドコンピューティングネットワークの記憶素子に格納されているウェブアプリケーションにアクセスして、遠隔操作のヒューマンマシンインターフェイスを使用して、歯科外科インプラントの治療計画を作成する工程と；（Ｃ）歯科外科インプラントの少なくとも１つのデータセットおよび／もしくはパラメータ値の、アクセスしたウェブアプリケーションを介した入力および／または選択および／または修正、ならびにこのデータセットおよび／もしくはパラメータ値の治療計画への転送または格納工程と；（Ｄ）（少なくとも１つのデータセットおよび／またはパラメータ値を含む）治療計画の、インターネットを介したクラウドコンピューティングネットワークから歯科外科治療デバイス、特に歯科外科治療デバイスの（内部）記憶素子へのウェブベースの転送工程。
【００２８】
これにより、時間および場所に関係なく、ならびに特定の遠隔操作のヒューマンマシンインターフェースに制限されることなく、ユーザーが歯科外科インプラントの治療計画を作成することが有利に可能になる。
【００２９】
好ましくは、クラウドコンピューティングネットワークの記憶素子は、インプラントライブラリ、特に上記のインプラントライブラリを格納する。好ましくは、上記の方法工程（Ｃ）は、ウェブアプリケーションおよび遠隔操作のヒューマンマシンインターフェースを介した、インプラントライブラリからのインプラント、特に歯科外科インプラントで埋め込まれるインプラントの選択を含む。インプラントの選択は、例えば、インプラントの指定および／またはインプラントライブラリでインプラントが意図されている歯の位置（歯のスキームに応じて）によって行われる。特に好ましくは、インプラントの選択は、インプラントに割り当てられた少なくとも１つのデータセットおよび／または治療値、例えばインプラントが設定されるトルク値、インプラントが設定される最大トルク値、および／またはインプラントが設定される歯科コントラアングルハンドピースのギアの伝達比を判定し、これを（自動的に）治療計画に入力するまたは組み込む。したがって、インプラントライブラリの提供により、治療計画の作成が大幅に簡素化される。
【００３０】
好ましくは、クラウドコンピューティングネットワークの記憶素子は、特に上述の患者に関する情報とともに、患者もしくは治療のドキュメンテーション用の、または患者管理用のソフトウェアまたはデータベースを格納する。好ましくは、歯科外科インプラントの治療計画を作成するための上記の方法は、治療計画を、特に前述のソフトウェアもしくはデータベースからの治療を受ける患者に関する情報および／または埋め込まれるインプラントに関する情報にリンクさせる、ならびに／あるいは治療計画および／または治療データを前述のソフトウェアもしくはデータベースに格納する追加の工程を含む。したがって、患者または治療のドキュメンテーション用の、または患者管理用のソフトウェアパッケージまたはデータベースの提供により、歯科外科治療のドキュメンテーションが大幅に簡素化される。
【００３１】
歯科外科治療デバイスが、歯科外科治療デバイスおよび／またはそれに接続可能な歯科外科器具を操作するまたは調節するためのコントローラを備えてさらに提供されることが好ましい。好ましくは、歯科外科インプラントおよび／またはそれに必要な器具、例えば歯科外科用コントラアングルハンドピース（単数または複数）は、インターネットおよびウェブを介して転送された（および内部記憶内に格納された）治療計画に基づいてコントローラによって操作される。これにより、歯科外科治療デバイスで必要な操作パラメータの、キーや同様のオペレーティング要素を介する単調な構成をユーザーから省く。
【００３２】
好ましくは、歯科外科インプラントの治療計画を準備するための上記の方法は、工程（Ａ）〜（Ｃ）に従った、特に異なる患者に対する複数の治療計画の準備と、工程（Ｄ）に従った、この複数の治療計画の１つまたは複数の歯科外科治療デバイス、特にその／それらの（内部）記憶素子へのウェブベースの転送とを含む。好ましくは、複数の治療計画は、１つのデータセットまたはデータパッケージとして歯科外科治療デバイスに送信される。これにより、１人のユーザーが複数の治療計画を一度に、例えば翌日中に作成して転送することができるため、治療計画の作成が大幅に簡素化される。
【００３３】
歯科外科治療デバイスと歯科外科治療デバイスの外部にある外部記憶素子との間で、インターネットと外部記憶素子を含むクラウドコンピューティングネットワークとを介して少なくとも１つのデータセットをウェブベースで転送するための別の好ましい（コンピュータ実装）方法では、少なくとも１つのデータセットは、歯科外科インプラントに必要な測定、オペレーティング、または治療データ、特に少なくとも１つのトルクまたは回転速度値などの操作データまたは操作値を含み、ここで少なくとも１つのデータセットは、クラウドコンピューティングネットワークから、特に外部記憶素子から、インターネットを介して歯科外科治療デバイスに送信される。これにより、ユーザーは、時間および場所に関係なく、ならびに１つの歯科外科治療デバイスに制限されることなく、インプラント値を設定することが有利に可能になる。
【００３４】
歯科外科治療デバイスと歯科外科治療デバイスの外部にある外部記憶素子との間で、インターネットと外部記憶素子を有するクラウドコンピューティングネットワークとを介して少なくとも１つのデータセットをウェブベースで転送するためのさらに好ましい（コンピュータ実装）方法では、少なくとも１つのデータセットは、歯科外科インプラントの間に測定、検出、および／または生成された測定、オペレーティング、または治療データを含み、ここで少なくとも１つのデータセットは、歯科外科治療デバイスからインターネットを介してクラウドコンピューティングネットワークに、特に外部記憶素子に送信される。これにより、ユーザーは、時間および場所に関係なく、ならびに特定の遠隔操作のヒューマンマシンインターフェースに制限されることなく、少なくとも１つのデータセットを取得することが有利に可能になる。
【００３５】
本方法の測定、手術、または治療データは、一般に、上記のデータもしくは値の少なくとも１つ、好ましくは、技術データもしくはパラメータの値および／または参照される非技術データもしくは値を含む。特に好ましくは、測定、オペレーティング、または治療データは、特に上記の歯科外科治療デバイスのセンサーによってインプラント埋入中に測定された１つもしくは複数のトルク値、あるいは個々の測定されたトルク値から生成されたトルク曲線を含む。好ましくは、測定、オペレーティング、または治療データは、特に歯科外科インプラントがいつ行われたか、ならびに／あるいは測定、オペレーティング、もしくは治療データがいつ生成されたかおよび／または送信されたかを証明するための時刻および／または日付を含む。
【００３６】
歯科または歯科外科治療デバイスと歯科または歯科外科治療デバイスの外部にある外部記憶素子との間で、インターネットと外部記憶素子を有するクラウドコンピューティングネットワークとによって少なくとも１つのデータセットをウェブベースで転送するための別の好ましい（コンピュータ実装）方法では、少なくとも１つのデータセットは、骨に固定された（歯科）インプラントの安定性の少なくとも１つの測定値を含み、ここで少なくとも１つのデータセットは、歯科外科治療デバイスからインターネットを介してクラウドコンピューティングネットワークに、特に外部記憶素子に送信される。これにより、ユーザーは、時間および場所に関係なく、ならびに特定の遠隔操作のヒューマンマシンインターフェースに制限されることなく、インプラントの安定性の少なくとも１つの測定値にアクセスすることが有利に可能になる。
【００３７】
好ましくは、少なくとも１つのデータセット、特に、測定、オペレーティング、もしくは治療データまたはインプラント安定性の測定値を有するデータセットは、歯科もしくは歯科外科治療または診断、例えばインプラントの前に、歯科または歯科外科治療デバイスに、特にインターネットと外部記憶素子を含むクラウドコンピューティングネットワークとを介してウェブベースの形で転送される値または表示を含む。例えば、データは患者を識別するためのものであり、歯科インプラント前に治療計画とともに歯科外科治療デバイスに転送された。これにより、少なくとも１つのデータセットを正確に割り当てることが有利に可能になる。
【００３８】
少なくとも１つのデータセットのウェブベースの転送のための方法は、好ましくは、少なくとも１つのデータセット、特に測定、オペレーティング、もしくは治療データ、またはインプラント安定性の測定値を有するデータセットが、歯科もしくは歯科外科治療または診断デバイスの内部記憶素子におよび／あるいは測定、オペレーティング、または治療データをウェブベースの形で送信する送受信デバイスの記憶素子に、歯科もしくは歯科外科治療または診断デバイスへのウェブベースの転送の前に一時的に格納されるさらなる工程を含む。送受信デバイスは、例えばルーターまたはゲートウェイとして実装される。上記の記憶素子は、特に、例えばクラウドコンピューティングネットワークへのウェブベースのデータ転送が中断された場合のデータの損失を防ぐために、データバッファを有利に形成する。
【００３９】
少なくとも１つのデータセットのウェブベースの転送のための方法は、好ましくは、クラウドコンピューティングネットワークに通信可能に接続された遠隔操作のヒューマンマシンインターフェースが提供され、特に、歯科もしくは歯科外科治療または診断デバイスからインターネットを介してクラウドコンピューティングネットワークに、特に外部記憶素子に転送された少なくとも１つのデータセットが、遠隔操作のヒューマンマシンインターフェイスによって表示されるおよび／または取得されるおよび／または処理されるさらなる工程を含む。転送されたデータセットは、印刷することもでき、および／または別の電子デバイスに転送することもできる。少なくとも１つのデータセットをクラウドコンピューティングネットワークに格納することにより、時間および場所に関係なく、ならびに特定の遠隔のヒューマンマシンインターフェースに制限されることなく、前記データセットにアクセスすることが有利に可能になる。
【００４０】
好ましくは、クラウドコンピューティングネットワークの記憶素子は、特に上述の患者に関する情報を有する、患者もしくは治療ドキュメンテーション用の、または患者管理用のソフトウェアまたはデータベースを格納する。好ましくは、少なくとも１つのデータセットのウェブベースの転送に関する上述の方法は、少なくとも１つの転送されたデータセットを、特に前記ソフトウェアまたはデータベースからの（治療を受けた）患者に関する情報にリンクさせる、ならびに／あるいは少なくとも１つの転送されたデータセットをソフトウェアまたはデータベースに、患者もしくは治療のドキュメンテーションのためにまたは患者管理のために格納するさらなる工程を含む。リンクまたは格納は、特に少なくとも１つのウェブベースのデータセットに含まれる患者識別データに基づいて自動的に行われることが好ましい。したがって、本方法の工程は、歯科外科治療のドキュメンテーションを大幅に簡素化する。
【００４１】
少なくとも１つのデータセットのウェブベースの転送のための方法は、好ましくは、データセット、特に測定、オペレーティング、もしくは治療データまたはインプラント安定性の測定値を有するデータセットに、クラウドコンピューティングネットワークへのウェブベースの転送前に、日付および／または時刻表示（日付または時刻印）を提供するさらなる工程を含む。好ましくは、歯科もしくは歯科外科治療または診断デバイスの送受信デバイスは、データセットに日付および／または時刻表示を追加するように構成されている。好ましくは、送受信デバイスは、それ自体の電子日付および／または時刻測定デバイス（タイマーおよび／またはコントローラ）を有するか、オンラインの日付および／または時刻の情報源にアクセスするように構成されている。送受信デバイスは、例えばルーターまたはゲートウェイとして実装される。日付および／または時刻表示の追加は、治療または診断の一時的なドキュメンテーションを有利に容易にする。
【００４２】
日付および／または時刻表示の追加は、少なくとも１つのデータセットが骨に固定されたインプラントの安定性の少なくとも１つの測定値を含む方法において特に有利である。好ましくは、この方法は、周期的に、特に複数の日、週、または月の間隔でインプラント安定性の複数の測定値を判定することも含む。好ましくは、追加の測定された安定性値を有する前記データセットのそれぞれに、日付および／または時刻表示が追加される。好ましくは、測定された安定性値と日付および／または時刻表示とを有するデータセットは、クラウドコンピューティングネットワークの外部記憶素子に格納される。好ましくは、測定された安定性値と日付および／または時刻表示と（治療を受けた）患者に関する情報を含む、特に患者もしくは治療ドキュメンテーションまたは患者管理用のソフトウェアまたはデータベースからのこれらの転送されたデータは、リンクされているかもしくはリンクされ、ならびに／あるいは前記ソフトウェアもしくはデータベースに格納される。好ましくは、クラウドコンピューティングネットワークは、測定された安定性値および患者のそれぞれの（関連する）日付および／または時刻表示を有するデータセットを（自動的に）提示するための、特に、データセットを一緒に（グラフィック的に）ダイアグラムで、好ましくは測定された安定値が時間の経過に関連して（データセットのそれぞれの日付および／または時刻表示に基づいて）提示されるダイアグラムとして提示するためのソフトウェアを有する。好ましくは、前記表現は、遠隔操作のヒューマンマシンインターフェースを介して表示するおよび／または取得することができる。これは、経時的なインプラント安定性の経過、特に最近設定されたインプラントの治癒の経過の概要をユーザーに有利に提供する。
【００４３】
示された方法に関して、歯科もしくは歯科外科治療または診断デバイスは、好ましくは、設定インプラントの安定性を判定するための、特にインプラントの治癒の質または周囲の骨質へのインプラントの接続を判定するためのデバイスを含む。インプラントの安定性を判定するためのそのようなデバイスは、特に、インプラントを非接触または接触方式で、例えば磁気的または音波によって振動させるように構成されている。このデバイスはまた、インプラントからの応答信号、特に振動を受信および処理するように構成されており、これに基づいて、骨に固定されたインプラントの安定性の測定値、例えば振動周波数を測定することができる。
【００４４】
インプラントパスポートまたはインプラントＩＤカード（患者用）を作成する別の（コンピュータ実装）方法によれば、（埋め込まれたまたは埋め込まれる予定の）インプラントに関するデータは、クラウドコンピューティングネットワークの外部記憶素子に、特に患者もしくは治療ドキュメンテーション用のまたは患者管理用の外部記憶素子のソフトウェアまたはデータベースに格納される。インプラントに関するデータは、例えば、以下のデータの少なくとも１つを含む：インプラントの製造業者に関する情報、特に名前、住所、連絡先の詳細、ウェブサイト；インプラントのシリアル番号；インプラントの名前および／または型および／またはモデル；インプラントが埋め込まれなければならない有効期限；インプラントのレシピエントまたは着用者への指示；または同様の情報。インプラントに関するデータは、好ましくは画像記録デバイス、特にカメラによって、特にインプラントのパッケージング上のデータストア、例えばバーコードから記録される。あるいは、インプラントに関するデータは、インプラントのパッケージング上の電子データ記憶、例えばＲＦＩＤタグから、読み取りデバイスを使用して読み取ることができる。好ましくは、（埋め込まれたまたは埋め込まれる予定の）インプラントに関するデータは、患者、すなわちインプラントのレシピエントに関する１つまたは複数のデータにリンクされ、それにより、患者に関するデータは、特に好ましくは、患者もしくは治療ドキュメンテーション用のまたは患者管理用の外部記憶素子のソフトウェアまたはデータベースから取得される。
【００４５】
インプラントのデータは、クラウドコンピューティングネットワークに通信可能に接続された遠隔操作のヒューマンマシンインターフェースを介して表示されるおよび／または取得されることがさらに好ましい。特に、遠隔操作のヒューマンマシンインターフェイスを使用してコマンドを発行し、インプラントに関するデータを、好ましくは患者に関する情報を少なくとも１つ追加して印刷し、インプラントパスポートまたはインプラント識別カードを発行する。
【００４６】
好ましくは、インプラントパスポートまたはインプラントＩＤカードを作成する方法は、歯科または歯科外科治療デバイスと治療デバイスの外部にある外部記憶素子との間で、インターネットと外部記憶素子を有するクラウドコンピューティングネットワークとを介して少なくとも１つのデータセットをウェブベースで転送するための上記の（コンピュータ実装）方法の１つと組み合わせたり、統合したりすることができるか、または少なくとも１つのデータセットをウェブベースで転送するためのそのような方法の一部として設計されている。
【００４７】
コンピュータによって実行されると、上記で参照または説明した方法をコンピュータに実行させる命令を含むコンピュータプログラム製品も提供される。コンピュータプログラム製品は、特に、上記で参照もしくは説明した方法を実行するための電子的および／または光学的に読み取り可能なコマンドあるいは操作信号の形でコンピュータプログラムまたはソフトウェアが格納される少なくとも１つの機械可読プログラムキャリアを含む。
【００４８】
コンピュータによって実行されると、上記で参照または説明した方法をコンピュータに実行させる命令を含むコンピュータ可読記憶媒体も提供される。
【００４９】
歯科もしくは歯科外科治療または診断システムは、歯科もしくは歯科外科治療または診断デバイスと、歯科もしくは歯科外科治療または診断デバイスの外部にある外部記憶素子を有するクラウドコンピューティングネットワークと、上述または説明した方法のいずれかを実行する（ための手段を有する）データ処理デバイスとを含む。歯科もしくは歯科外科治療または診断デバイスは、特に、上記で言及した治療または診断デバイスの少なくとも１つを含む。好ましくは、クラウドコンピューティングネットワークは、データ処理デバイスの少なくとも一部を含む。特に、クラウドコンピューティングネットワークのマイクロコントローラは、データ処理デバイスの少なくとも一部を形成する。
【００５０】
別の歯科もしくは歯科外科治療または診断システムは、歯科もしくは歯科外科治療または診断デバイスと、遠隔のヒューマンマシンインターフェースに通信可能に接続するための送受信デバイスとを含み、ここで送受信デバイスは、遠隔のヒューマンマシンインターフェイスへのインターネットとクラウドコンピューティングネットワークとを介したウェブベースの接続を提供するように構成されている。歯科もしくは歯科外科治療または診断デバイスは、特に、上記で言及した治療または診断デバイスの少なくとも１つを含む。
【００５１】
歯科もしくは歯科外科治療または診断システムは、時間および場所に関係なく、ならびに特定の遠隔操作のヒューマンマシンインターフェースに制限されることなく、ユーザーがクラウドコンピューティングネットワークに、特にその外部記憶素子に格納されているデータセットにアクセスすることを有利に可能にする。
【００５２】
歯科もしくは歯科外科治療または診断システムは、送受信デバイス、特にルーターまたはゲートウェイを含むことが好ましい。好ましくは、送受信デバイス、特にゲートウェイは、歯科もしくは歯科外科治療または診断デバイスと無線で通信するように構成されている。好ましくは、送受信デバイス、特にゲートウェイは、ローカルネットワーク、特に歯科または歯科外科の実施におけるローカルネットワークと無線で通信するように構成されている。好ましくは、送受信デバイス、特にゲートウェイは、有線でクラウドコンピューティングネットワークに接続されているか、接続することができる。これにより、インターネットに接続されたローカルネットワークを介した有線接続または無線接続のいずれかによって、歯科もしくは歯科外科治療または診断デバイスとクラウドコンピューティングネットワークの外部記憶素子との間で少なくとも１つのデータセットを転送するための可変システムが有利に作成される。
【００５３】
送受信デバイス、特にゲートウェイは、ゲートウェイを介して送信される（特に骨に固定されたインプラントの安定性を測定する値を有する）データセットに、すでに上記で説明したような日付および／または時刻表示を提供するように構成されていることが好ましい。
【００５４】
送受信デバイスは、歯科もしくは歯科外科治療または診断デバイスに少なくとも通信可能に接続される別個の要素として、あるいは治療または診断デバイスに統合された要素として形成される。
【００５５】
好ましくは、歯科もしくは歯科外科治療または診断デバイスは、送受信デバイスと（無線で）ペアリングするためのソフトウェアを有する。
【図面の簡単な説明】
【００５６】
【図１】図１は、データセットのウェブベースの転送を含む歯科もしくは歯科外科治療または診断システムを示している。
【００５７】
本発明を、好ましい実施形態に基づいて、添付の図面を参照して以下に説明する。唯一の図１は、データセットのウェブベースの転送を含む歯科もしくは歯科外科治療または診断システムを示している。
【００５８】
治療または診断システム１は、歯科もしくは歯科外科治療または診断デバイス２と、遠隔操作のヒューマンマシンインターフェイス４に通信可能に接続するための送受信デバイス３とを含む。送受信デバイス３は、歯科もしくは歯科外科治療または診断デバイス２から遠隔操作のヒューマンマシンインターフェイス４へのインターネットとクラウドコンピューティングネットワーク５とを介したウェブベースの接続を提供するように設計されている。
【００５９】
歯科もしくは歯科外科治療または診断デバイス２は、特に歯科外科的介入、好ましくはインプラントを実施するための卓上歯科外科デバイスとして図１に示されている。しかしながら、歯科もしくは歯科外科治療または診断デバイス２は、ハンドピース、コントラエンジェルハンドピース、セットインプラントの安定性を判定するためのデバイス、または歯科もしくは歯科外科治療ユニットなどのさまざまな他のデバイスを備え得ることが明示的に留意される。
【００６０】
歯科もしくは歯科外科治療または診断デバイス２は、特にウェブベースの形で転送される少なくとも１つのデータセットの値、パラメータ、および／またはデータを含むデータを表示するための表示デバイス２Ａを備える。歯科もしくは歯科外科治療または診断デバイス２は、特にウェブベースの形で転送される少なくとも１つのデータ記録の値、パラメータ、および／またはデータを変更できるようにするために、少なくとも１つの操作要素２Ｂを備える。
【００６１】
クラウドコンピューティングネットワーク５と歯科もしくは歯科外科治療または診断デバイス２との間のウェブベースの接続６を通じて、１つもしくは複数の値、パラメータ、または仕様を有する少なくとも１つのデータセットが転送される。ウェブベースの接続６を介した少なくとも１つのデータセットの転送は、特に、二方向矢印６で象徴されるように、双方向である。
【００６２】
クラウドコンピューティングネットワーク５は、少なくとも１つのデータセットを格納することができる少なくとも１つの外部記憶素子５Ａを含む。クラウドコンピューティングネットワーク５は、特に、さらなるハードウェアおよび／またはソフトウェア要素、例えばマイクロコントローラ、および、特にマイクロコントローラによって実行され得る１つまたは複数のソフトウェアプログラムまたはウェブアプリケーションを含む。ウェブアプリケーションは、遠隔操作のヒューマンマシンインターフェイスを介して呼び出され得るおよび／または操作され得る
【００６３】
遠隔操作のヒューマンマシンインターフェースは、例えば、モバイル電子デバイス４Ａ、特に携帯電話、または固定電子デバイス４Ｂ、特にパソコンを任意に備えてもよい。
【００６４】
クラウドコンピューティングネットワーク５、特に外部記憶素子５Ａに格納されているウェブアプリケーションは、外部記憶素子５Ａに格納されている少なくとも１つのデータセットを取得するおよび／または表示するおよび／または処理するために、ならびに／あるいは外部記憶５Ａに少なくとも１つのデータセットを入力し、前記データセットを格納するために、遠隔操作のヒューマンマシンインターフェイス４を使用して呼び出される。遠隔操作のヒューマンマシンインターフェース４は、ウェブアプリケーションにアクセスするためのウェブブラウザを含む。
【００６５】
遠隔操作のヒューマンマシンインターフェイス４とクラウドコンピューティングネットワーク５との間の双方向通信リンクもウェブベースであり、参照番号７のラベルが付けられている。
【００６６】
ウェブベースの通信接続６および７は、無線および／または有線である。
【００６７】
治療または診断システム１を通して、歯科もしくは歯科外科治療または診断デバイス２と歯科もしくは歯科外科治療または診断デバイスの外部にある外部記憶素子５Ａとの間で少なくとも１つのデータセットを転送するための上記の方法の１つまたは複数を実行することができるが、繰り返しを避けるために再度詳細に説明することはない。
【００６８】
説明および図示した実施形態は、特に本発明を説明する役割を果たす。したがって、実施形態で開示される特徴は、本実施形態に限定されるものではなく、個々に、あるいは記載の１つまたは複数の他の実施形態の１つもしくは複数の特徴と組み合わされ得る。
【図１】
2020077406.tif 000003
【外国語明細書】
2020077406000001.pdf